(57)【要約】      （修正有）【課題】外部からの電源の供給が不要な電子血圧計を提供する。【解決手段】電子血圧計１００であって、カフ部１１０と、本体部１３０と、送気球１４０と、を備え、前記カフ部１１０は、更に、短冊状に形成され、カフ部１１０の外周面上に配された光発電部１１７を備え、前記光発電部１１７の発電電圧レベルを示すマークを表示する。【選択図】図１Ａ
2012070922.tif 000002
【特許請求の範囲】
【請求項１】
被検者の血圧を測定する電子血圧計であって、
被検者の上腕部に装着されるカフ部と、
前記上腕部に装着され、加圧された前記カフ部の減圧過程における圧力値に基づいて、前記被検者の血圧値を算出する制御部が配された本体部と、
前記カフ部に空気を送り込むことで、前記カフ部を加圧する送気球と、を備え、
前記カフ部は、更に、
被検者の上腕部に装着された場合、該被検者の上腕二頭筋側に位置するように該カフ部の外周面に沿って配された、複数の短冊状のセルからなる光発電部を備えており、
前記複数の短冊状のセルはそれぞれ、その長手方向が前記カフ部の幅方向と一致するように、前記カフ部の長手方向に所定の間隔をもって配置されており、かつ互いに電気的に並列に接続されており、
更に、前記複数の短冊状のセルはそれぞれ、前記カフ部の幅方向に所定の間隔をもって配置された所定個数の素子群を備え、かつ、該所定個数の素子群は、前記制御部を動作させるための電圧を出力できるよう電気的に直列に接続されており、端部には更にダイオードが接続されていることを特徴とする電子血圧計。
【請求項２】
前記制御部の起動が指示された状態において、前記光発電部の発電電圧レベルを示すマークを表示することを特徴とする請求項１に記載の電子血圧計。
【請求項３】
前記発電電圧レベルを示すマークは、発電電圧が高くなるに従って点滅周期が短くなることを特徴とする請求項２に記載の電子血圧計。
【請求項４】
前記発電電圧レベルを示すマークは、血圧を測定することが可能な発電電圧レベルとなった場合に、点滅が終了し、全灯となることを特徴とする請求項３に記載の電子血圧計。
【発明の詳細な説明】
【技術分野】
【０００１】
本発明は、電子血圧計に関するものである。
【背景技術】
【０００２】
現在、医療現場で使用されている血圧計には、聴診法を用いて測定する水銀血圧計やアネロイド血圧計などの手動式血圧計と、加圧から減圧、血圧値の決定までを自動で行う自動式血圧計の２種類がある。
【０００３】
手動式血圧計は、電源が不要であり、小型で持ち運びが容易であるため、どのような医療現場の状況にも対応できるという機動性を有している。一方で、測定精度が個人の能力に左右され、客観性に乏しいという欠点も備える。
【０００４】
これに対して、自動式血圧計は、加圧及び減圧がすべて自動で行われるため、操作が簡単であるうえ、血圧値の決定処理がソフトウェアにより行われるため、測定結果に客観性があるという利点がある。一方で、現状の自動式血圧計は、大きな加圧機構や、動作用の大きな電源の実装が避けられず（あるいは、動作用の電源供給が可能な場所でしか使用できず）、結果、装置が大型化し、持ち運びが不便であるうえ、機動性にも劣るといった欠点を有している。
【０００５】
このような背景のもと、最近では、この両方の利点を組み合わせ、加圧機構のみを手動で行うよう構成された電子血圧計が提案されている（例えば、下記特許文献１参照）。
【先行技術文献】
【特許文献】
【０００６】
【特許文献１】特開２００６−７５４３６号公報
【発明の概要】
【発明が解決しようとする課題】
【０００７】
しかしながら、上記特許文献１に開示された電子血圧計の場合、依然として、動作用の電源が必要であり、血圧測定に際して、ユーザは予め動作用の電源（電池あるいは電力網）を確保しておかなければならないという問題がある。
【０００８】
これに対して、電子血圧計自体に、発電機能を搭載させることができれば、ユーザは使用場所の限定や電池切れの心配等から解放され、電子血圧計の機動性を向上させることができる。
【０００９】
加えて、発展途上国等のように、そもそも電池の普及が十分でない地域や家庭用電力網の普及が十分でない地域においても利用できるようになることから、電子血圧計の更なる普及にも貢献できることが期待される。
【００１０】
本発明は上記課題に鑑みてなされたものであり、外部からの電源の供給が不要な電子血圧計を提供することを目的とする。
【課題を解決するための手段】
【００１１】
上記の目的を達成するために、本発明に係る電子血圧計は以下のような構成を備える。即ち、
被検者の血圧を測定する電子血圧計であって、
被検者の上腕部に装着されるカフ部と、
前記上腕部に装着され、加圧された前記カフ部の減圧過程における圧力値に基づいて、前記被検者の血圧値を算出する制御部が配された本体部と、
前記カフ部に空気を送り込むことで、前記カフ部を加圧する送気球と、を備え、
前記カフ部は、更に、
被検者の上腕部に装着された場合、該被検者の上腕二頭筋側に位置するように該カフ部の外周面に沿って配された、複数の短冊状のセルからなる光発電部を備えており、
前記複数の短冊状のセルはそれぞれ、その長手方向が前記カフ部の幅方向と一致するように、前記カフ部の長手方向に所定の間隔をもって配置されており、かつ互いに電気的に並列に接続されており、
更に、前記複数の短冊状のセルはそれぞれ、前記カフ部の幅方向に所定の間隔をもって配置された所定個数の素子群を備え、かつ、該所定個数の素子群は、前記制御部を動作させるための電圧を出力できるよう電気的に直列に接続されており、端部には更にダイオードが接続されていることを特徴とする。
【発明の効果】
【００１２】
本発明によれば、外部からの電源の供給が不要な電子血圧計を提供することが可能となる。
【図面の簡単な説明】
【００１３】
【図１Ａ】本発明の一実施形態に係る電子血圧計１００の外観構成を示す図である。
【図１Ｂ】電子血圧計１００のカフ部１１０の外観構成を示す図である。
【図１Ｃ】カフ部１１０が被検者の上腕部に装着される様子を示す図である。
【図２】電子血圧計１００の表示部の構成を示す図である。
【図３】電子血圧計１００の機能構成を示す図である。
【図４】電子血圧計１００の送排気機構を説明するための図である。
【図５】電子血圧計１００の状態遷移図である。
【図６】電子血圧計１００の測定中状態における発電状態表示処理の流れを示すフローチャートである。
【図７】電子血圧計１００の発電状態表示処理時の表示部の表示内容の一例を示す図である。
【図８Ａ】電子血圧計１００の測定処理の流れを示すフローチャートである。
【図８Ｂ】電子血圧計１００の測定処理の流れを示すフローチャートである。
【図８Ｃ】電子血圧計１００の測定処理の流れを示すフローチャートである。
【図９】電子血圧計１００の測定処理時の表示部の表示内容の一例を示す図である。
【図１０】電子血圧計１００の測定処理時の表示部の表示内容の一例を示す図である。
【図１１】電子血圧計１００の測定処理の流れを示すフローチャートである。
【発明を実施するための形態】
【００１４】
はじめに、本発明の各実施形態に係る電子血圧計の概要について説明する。以下に説明する各実施形態の電子血圧計は、発電機能（光発電部）を搭載しており、外部からの電源供給が行われなくても、血圧測定が可能である点に特徴がある。
【００１５】
また、搭載された光発電部は、被検者の上腕部にカフ部が装着された際に、該被検者の上腕二頭筋側に位置するように、カフ部の外周面上に沿って配置されている点に特徴がある。
【００１６】
更に、当該光発電部の各セルは、カフ内に空気を供給した際に、各セルへの応力の負担を軽減させるとともに、カフ部が上腕部に巻かれた際に該カフ部が上腕部の曲面に密着できるようにするために、その長手方向がカフ部の幅方向と一致する短冊状の形状を有している点に特徴がある。
【００１７】
更に、当該光発電部の各セルは、カフ部の向きに影響を受けることなく電子血圧計が使用できるようにするために、天井に設置された蛍光灯等の照明具からの光及び窓から入射する光を受光できる構成となっている点に特徴がある（つまり、広範囲の光を受光できるよう、上腕部の円周方向に沿って配置されている点に特徴がある）。
【００１８】
また、上記発電機能により供給された電力に基づく血圧測定を、より長時間にわたって維持できるようにするために（つまり、省電力化のために）、カフへの空気の供給／カフ内の空気の排出を手動で実行する構成とし（送気球により空気を供給する構成、手動により排気弁の開閉を行う構成、または手動の排気弁と受動型定速排気弁とを利用した構成とし）、血圧測定における消費電力の低減を実現する構成とした点に特徴がある。
【００１９】
また、従来の自動式血圧計の場合、カフ圧が最高血圧値より低い場合には再加圧する自動再加圧機能が配されているのに対して、カフへの空気の供給／カフ内の空気の排出を手動で実行させようとすると、カフへの加圧が不足した状態のまま、ユーザがカフ圧の減圧を開始させてしまう可能性があることに鑑みて（つまり、血圧の誤測定につながる可能性があることに鑑みて）、以下の各実施形態における電子血圧計では、カフの加圧不足を的確に判断する処理を付加した点に更に特徴がある。
【００２０】
また、測定時に加圧不足が生じた場合や、測定の開始時及び終了時にカフ内に残圧が残っていた場合等に、内部状態に応じたメッセージを適切なタイミングで表示させ、手動による操作をユーザが正しく行うことができるようにした点に更に特徴がある。以下、本発明の各実施形態について図面を参照しながら詳細に説明する。
【００２１】
［第１の実施形態］
１．電子血圧計の外観構成
図１は、本発明の一実施形態に係る電子血圧計（被検者の測定部位にカフを巻いて測定を行う非観血式の電子血圧計）１００の外観構成を示す図である。
【００２２】
図１に示すように、電子血圧計１００は、被検者の上腕部に巻かれ、外周面上に室内光または太陽光により発電する光発電部とコロトコフ音センサとが配されたカフ部１１０と、本体部１３０とを備え、本体部１３０には、電子血圧計１００全体を制御するための、また、カフ圧及び脈波を測定する圧力センサやコロトコフ音を検出するＫ音処理部等を動作させるための制御部と、カフ部１１０との間で空気の送排気を行う送排気機構とが収容されている。
【００２３】
なお、カフ部１１０と本体部１３０との間は、カフチューブＡｓｓ’ｙ（配管・配線部）１２０により接続されており、本体部１３０の下側面には、ユーザがポンピング操作を繰り返すことで、本体部１３０及びカフチューブＡｓｓ’ｙ（配管・配線部）１２０を介して、カフ部１１０に空気を送り込む送気球（加圧ゴム気球）１４０が配されている。以下、各部１１０〜１４０の詳細について説明する。
【００２４】
カフ部１１０は、被検者の上腕部にカフ布１１１を巻く際に該カフ布１１１を折り返すために用いられる、カフ布１１１の端部に配された折り返しリング１１６と、折り返しリング１１６で折り返されたカフ布１１１を罫着固定するための雄型の面ファスナー１１２と、雌型の面ファスナー１１３とを備える。
【００２５】
また、カフ布１１１上の折り返しリング１１６近傍には、短冊状に形成された複数のセルが、カフ布１１１の長手方向（つまり、カフ布１１１が上腕部に装着された際の上腕部の円周方向）に所定の間隔をもって配置されている。
【００２６】
このように、光発電部１１７を短冊状に形成し、各セルを円周方向に配列することで、カフ布１１１を上腕部に巻くにあたり、カフ布１１１を従来と同様に上腕部の円周面に沿って自由に変形させることが可能になる。また、カフ部を加圧しその外周面が曲面となった場合でも各セルへの負担を小さくさせることができる。
【００２７】
また、カフ布１１１上の折り返しリング１１６近傍に配置することで、上腕部に装着された際に、被検者の上腕二頭筋側（つまり、天井側）に位置することとなり、天井側からの光を効率よく受光することが可能となる。
【００２８】
また、カフ布１１１上に配置したことで、光発電部１１７の複数のセルそれぞれは、一定程度の面積を確保することが可能となり、電子血圧計１００における血圧値の決定処理を行うのに十分な電力を供給することが可能となる（本体部１３０等に配置することとすると、十分な電力を供給するために必要な面積を確保することができず、また、必要な面積を確保しようとすると本体部１３０の寸法が大きくなり、従来の機動性を損なってしまうこととなる。つまり、カフ布１１１上に配置することで、従来の電子血圧計の大きさに変更を加えることなく、かつ十分な電力を供給することが可能となる）。
【００２９】
なお、本実施形態において光発電部１１７を構成する各セルは、１枚当たり、０．５Ｖ程度の出力が可能な色素増感太陽電池素子がカフ布１１１の幅方向と一致する方向に配置され（つまり素子群を形成し）、互いに電気的に直列に接続されている。このため、１つのセルあたりの発電電圧は３Ｖ程度となっている。また、カフ布１１１の長手方向に所定の間隔をもって複数配置されたセル群は、互いに並列接続（異なるセル間の各色素増感太陽電池素子がダイオードを介して並列接続）されており、このため、光発電部１１７に照射される光の方向に指向性があった場合でも、光発電部１１７より出力される電圧のばらつきは最小限に抑えることができる。
【００３０】
一方、カフ布１１１の内部には、カフ（空気袋）１１４が配されている。カフ１１４はカフチューブＡｓｓ’ｙ（配管・配線部）１２０を介して送られてきた空気により内部圧力が最高血圧値以上に上げられることで、カフ布１１１が巻かれた被検者の上腕部を圧迫し動脈血管を阻血する。更に、カフ布１１１の内部にはＫ音検出部１１５が配されている。このＫ音検出部１１５は、上腕部が阻血された状態から、カフ１１４内の空気が受動型定速減圧弁（後述）により徐々に排出され、カフ１１４内圧力が最高血圧以下に低下することで、阻血状態が解除され、血流が再開された際に生じるコロトコフ音を検出できるよう構成されている。
【００３１】
カフチューブＡｓｓ’ｙ（配管・配線部）１２０は、カフ部１１０へ送られる空気及びカフ部１１０から排出される空気を搬送するチューブ１２１と、Ｋ音検出部１１５において検出されたＫ音信号を本体部１３０に送信する配線１２２と、光発電部１１７からの電力を本体部に供給する配線１２９とを備える。また、チューブ１２１及び配線１２２、１２９を本体部１３０に接続するための多連式プラグ１２３（配線コネクタ１２６、１２８、配管コネクタ１２５及び１２７を介して本体部１３０に接続される）を備える。なお、多連式プラグ１２３には、カフ部１１０内の圧力を一定速度で減圧（定速減圧）するための受動型定速排気弁が配されている。受動型定速排気弁は、カフ部１１０内の空気を外部に排出するための排出路上において、その開口面積がカフ部１１０内の圧力に応じて変化することで定速減圧を実現しており、カフサイズごとにチューニングされている。このため、図１の例では、受動型定速排気弁は多連式プラグ１２３内に配する構成としているが、これに限定されるものではなく、排出路上であれば、任意の位置に配することができる。
【００３２】
本体部１３０には、その上側面に本体側コネクタ１３１が備えられており、カフチューブＡｓｓ’ｙ（配管・配線部）１２０の多連式プラグ１２３は、当該本体側コネクタ１３１を介して本体部１３０に接続される。また、本体部１３０の上面には空気の流路を切り替える機構を有するトグル動作タイプの排気ボタン１３２が備えられており、押下されることで排気弁が排気側に切り替えられると本体部１３０内に収容された排気弁の流路は大気側に全開することとなり、これにより、カフ部１１０内の空気が外部へと排出される。
【００３３】
更に、本体部１３０の上面には、ＬＣＤ等から構成される表示部１３４が配されている。表示部１３４は、ユーザに対して、電子血圧計１００の内部状態や所定の操作を促すための指示、ならびに測定結果等を表示する。更に、本体部１３０の上面には、電源ボタン１３５が配されている。電源ボタン１３５は、１回の押下により電源がＯＮし、再度の押下により電源がＯＦＦするよう構成されている。
【００３４】
一方、本体部１３０の本体側コネクタ１３１と反対の側面（下側面）には、送気球１４０を支持するとともに、送気球１４０から送り出された空気を本体部１３０内に導くための接続部１３６が備えられている。なお、本体部１３０内の送排気機構の詳細は後述する。
【００３５】
送気球１４０は、接続部１３６を介して本体部１３０と接続されている。送気球１４０内には接続部１３６側の端面には逆止弁が設けられている。当該逆止弁は、送気球１４０を押圧することで、送気球１４０内の空気が接続部１３６を介して本体部１３０方向へ送り出される場合には全開し、逆向きの空気の流れとなる場合には全閉する。これにより、本体部１３０内の空気が送気球１４０内に逆流することが回避されることとなる。
【００３６】
送気球１４０の端部（接続部１３６と接続された側と反対側の端部）には、尻弁１４２（ボール型逆止弁の一種）が設けられており、送気球１４０復元時に送気球１４０外部の空気を内部へ流入させたり、送気球１４０を押圧する時に送気球１４０内部の空気の外部への流出を阻止したりする。具体的には、送気球１４０が押圧されることで正圧状態となっている場合には、送気球１４０内部の空気が尻弁１４２を介して外部へ流出してしまうことを防ぐため、尻弁１４２は全閉となる。一方、押圧された送気球１４０が押圧状態から解放され、復元にあたって内部が負圧状態となっている場合には、送気球１４０外部の空気が内部へと流入するよう、尻弁１４２は全開となる。
【００３７】
２．カフ部１１０の外観構成
次に、電子血圧計１００のカフ部１１０の外観構成について図１Ｂ及び図１Ｃを用いて説明する。図１Ｂは、電子血圧計１００のカフ部１１０の外観構成を示す図であり、図１Ｃは、カフ部１１０が被検者の上腕部に装着された様子を示した図である。
【００３８】
図１Ｂに示すように、カフ布１１１の端部は、折り返しリング１１６を通って折り返され、カフ布１１１の中央部と罫着固定される。これにより、カフ部１１０は円筒状に変形される。なお、光発電部１１７は、それぞれのセルが所定の間隔をもって配置されており、光発電部１１７の各セル間に位置するカフ布１１１は任意に変形可能であることから、カフ部１１０は全体として円筒状に変形することができる。
【００３９】
また、図１Ｃに示すように、カフ布１１１の端部は、折り返しリング１１６を通って折り返されるため、カフ部１１０が被検者の上腕部に装着された状態では、被検者の上腕二頭筋側（つまり、天井側）に位置する光発電部１１７は、カフ布１１１の端部によって遮光されることなく露出することとなる。つまり、カフ部１１０は、任意の測定場所において外部光を最大限に利用することができる。
【００４０】
３．表示部の構成
次に、本体部１３０の上面に配された表示部１３４の構成について説明する。図２に示すように、表示部１３４は、電子血圧計１００において測定された最高血圧値を表示する最高血圧値表示領域２０１と、最低血圧値を表示する最低血圧値表示領域２０２とを備える。また、最高血圧値及び最低血圧値を測定した際の脈拍数値、または、カフ１１４の加圧中におけるカフ１１４内部の圧力値を表示する、脈拍数値・圧力値表示領域２０３を備える。
【００４１】
更に、表示部１３４は、血圧測定に際して、ユーザに対して所定の操作を促すための指示や電子血圧計１００の内部状態等を適切なタイミングで表示するためのメッセージ表示領域２０４と、光発電部１１７の発電状態（発電電圧レベル）や充電部３１０の充電電圧（電圧不足）等を表示する電源状態表示領域２０５を備える。
【００４２】
なお、電源状態表示領域２０５において、発電電圧レベルは、発電電圧レベルを示すマークが消灯と点灯とを所定の周期で繰り返すことにより表現され、発電電圧レベルに応じて、消灯と点灯の繰り返し周期（点滅周期）が制御される構成となっている（発電電圧レベルが低い場合には、繰り返し周期が長くなり、発電電圧レベルが高い場合には、繰り返し周期が短くなる。更に、血圧値の決定処理に必要な発電電圧レベルの場合には、全灯となるように構成されている）。
【００４３】
４．電子血圧計の本体部の機能構成
次に、電子血圧計１００の本体部１３０内の機能構成について図３を参照しながら説明する。図３は、電子血圧計１００の本体部１３０の機能構成を示す図である。
【００４４】
図３において、３０１は圧力センサであり、制御部３０３から定電流が与えられることで動作しカフ１１４内の圧力を電圧値にて検出した後、得られた電圧信号を増幅したうえで制御部３０３内にあるＡ／Ｄ変換器（不図示）に出力する。３０２はＫ音処理部であり、Ｋ音検出部１１５において検出され配線コネクタ１２６を介して受信した信号を増幅した後、所定のフィルタ処理を施すことで、Ｋ音信号を抽出し、抽出したＫ音信号を制御部３０３内にあるＡ／Ｄ変換器（不図示）に出力する。
【００４５】
３０４は電源ボタンであり、図１の電源ボタン１３５に対応しており、電子血圧計１００の電源ＯＦＦ状態／測定中状態を切り替える。３０５はブザーであり、制御部３０３による制御のもと、加圧不足の場合及び測定開始時のカフに残圧がある場合、あるいは測定終了後に排気をしなかった場合等に、警告音等を出力する。３０６は表示部であり（図１の表示部１３４に対応する）、制御部３０３からの信号（測定結果を示す信号や所定の操作をユーザに促すための指示を示す信号、内部状態や発電状態を示す信号等）に基づいて種々の表示を行う。
【００４６】
３０７は排気弁であり、排気ボタン３０８（図１の排気ボタン１３２に対応する）により閉に切り替えられた状態（閉状態）では、送気球１４０から送り出された空気をカフ部１１０側へと送る。
【００４７】
一方、排気ボタン３０８により開に切り替えられた状態（開状態）では、カフ部１１０側から送られた空気を、本体部１３０の外部へと排出する。
【００４８】
３１０は充電部（例えば、スーパーキャパシタ、または充電池）であり、光発電部１１７より送られた電力を充電するとともに、制御部３０３に電力を供給する。なお、以下では、充電部３１０として充電池（２次電池）が使用されているものとして説明する。
【００４９】
電源制御部３０９は、充電部３１０を監視するための機能を備える。具体的には、充電部３１０の過充電を防止するための過充電防止機能及び制御部３０３に定電圧を供給するための定電圧機能を備える。なお、これらの機能はハードウェアとして実現されており、制御部３０３に電力が供給されていない状態であっても（つまり、ＣＰＵが動作していない状態であっても）、機能するよう構成されているものとする。
【００５０】
制御部３０３は、電源ボタン３０４のＯＮ操作により起動する。制御部３０３では、カフ１１４内の圧力が受動型定速排気弁にて定速減圧されている間に（つまり減圧過程において）、Ｋ音処理部３０２からの出力に基づいて抽出されたＫ音信号と、圧力センサ３０１からの出力に基づいて検出された圧力信号とを用いて、被検者の最高血圧値及び最低血圧値の検出、ならびに脈拍数の算出を行う。また、算出した最高血圧値及び最低血圧値、ならびに脈拍数を表示部３０６に表示するよう制御する。更に、制御部３０３では、最高血圧値及び最低血圧値、ならびに脈拍数を算出するにあたって、ユーザに対して所定の操作を促すための指示や電子血圧計１００の内部状態（排気指示、加圧不足など）を表示部３０６に表示するよう制御する。
【００５１】
また、発電電圧レベルを示す表示や、充電電圧が所定値以下の場合に電圧不足であることを示す表示等、電源状態に関する表示を行うよう制御する。
【００５２】
更に、充電量が所定値以下となった場合にあっては、充電部３１０の過放電を防止する過放電防止処理を実行するとともに、自動的に電源をＯＦＦにする電源ＯＦＦ処理を実行する。
【００５３】
５．本体部内の送排気機構
次に、本体部１３０内の送排気機構について説明する。図４は、本体部１３０内の送排気機構を説明するための図である。
【００５４】
図４に示すように、本体部１３０内の送排気機構４００は、少なくとも排気弁３０７と、排気ボタン３０８とを備える。
【００５５】
図４に示すように、接続部１３６を介して送気球１４０から送り出された空気は、本体部１３０内に配された配管４０１を介して、排気弁３０７へと送られる。ここで、排気弁３０７内において配管４０１は配管４０２と接続されており、配管４０１と配管４０２とには共通の排気口が設けられている。そして、排気弁３０７は、排気ボタン３０８が閉状態の場合に、配管４０１及び配管４０２の当該共通の排気口が遮蔽されるよう構成されている。これにより、送気球１４０から送られた空気は外部へ排出されることなく、カフ１１４へと送られる（つまり、送気路４１１が形成される）。
【００５６】
このため、排気ボタン３０８が閉状態においては、送気球１４０に対するポンピング操作が繰り返されることで、カフ１１４に空気が送り込まれることとなる。
【００５７】
一方、排気弁３０７は、排気ボタン３０８が開状態においては、配管４０１及び配管４０２を外部に対して開放する。これにより、カフ１１４内の空気は、チューブ１２１、配管コネクタ１２５、本体側コネクタ１３１、配管４０１を介して、外部へと排気されることとなる（つまり、排出路４１２が形成される）。
【００５８】
なお、排気弁３０７は、開状態及び閉状態において、それぞれラッチされる排気ボタンと連動したラッチ機構（トグル機能）を有しているものとする。
【００５９】
６．電子血圧計の状態遷移
次に、電子血圧計１００の状態遷移について説明する。上述したように、本実施形態に係る電子血圧計１００は光発電部１１７を備え、血圧値の決定処理に必要な電力を光発電部１１７の発電により得られた電力によりまかなう構成となっている。つまり、血圧値の決定処理に必要な電力は、基本的に、被検者の上腕部にカフ部１１０が装着された状態で発電された光発電部１１７の電力によりまかなわれ、充電部３１０は、あくまで補助的な電力供給手段として機能するものとする（表示部３０６による表示等、最低限の動作に用いられるよう構成されているものとする）。
【００６０】
図５において、電源ＯＦＦ状態は電源ボタン３０４がＯＦＦ操作された状態であり、制御部３０３等に電力が供給されていない状態である（ただし、光発電部１１７により発電した電力を充電部３１０に充電することは可能である）。
【００６１】
一方、電源ＯＦＦ状態で電源ボタン３０４が押下されると、電子血圧計１００は測定中状態に移行する。測定中状態において光発電が行われた場合には、発電電圧レベルを示すマークが点灯する。
【００６２】
なお、測定中状態において表示部３０６の発電電圧レベルを示すマークが全灯していない場合には、ユーザは室内光または太陽光を受光可能な位置に移動する必要がある。発電電圧レベルを示すマークが全灯していない状態では、制御部３０３において血圧値の決定処理は実行されないからである。そして、ユーザが移動することで発電電圧レベルが所定値より大きくなると、発電電圧レベルを示すマークは全灯する。
【００６３】
また、測定中状態では、制御部３０３は、充電電圧が所定値以下となっていないかを確認し、表示部３０６に表示する。更に、制御部３０３による確認の結果、充電電圧が所定値以下になっていると判断した場合には、表示部３０６に「電圧不足」と表示する。
【００６４】
７．測定中状態における発電状態表示処理の流れ
次に、測定中状態における制御部３０３による発電状態表示処理の流れについて図６及び図７を用いて説明する。図６は、測定中状態における発電状態表示処理の流れを示すフローチャートである。
【００６５】
電源ボタン３０４が押下され測定中状態に移行すると、制御部３０３では図６に示す処理を開始する。ステップＳ６１１では、制御部３０３に接続されている各部を起動する。続いてステップＳ６１２では、光発電部１１７が発電しているか否かを判定する。ステップＳ６１２において光発電部１１７が発電していないと判定された場合には、ステップＳ６１５に進む。
【００６６】
一方、ステップＳ６１２において光発電部１１７が発電していると判定された場合には、発電電圧を検出し、当該検出した発電電圧に応じて、発電電圧レベルを示すマークの点灯／消灯の繰り返し周期を設定する。ステップＳ６１４では、ステップＳ６１３において設定された繰り返し周期に基づいて、発電電圧レベルを示すマークの点灯／消灯を制御する（図７の７０１参照）。
【００６７】
ここで、発電電圧レベルを示すマークが全灯していない場合には、血圧値の決定処理を行うことができないため、ユーザは、カフ部１１０の向きを変えるか、あるいはもっと明るい場所に移動することとなる（つまり、発電電圧レベルを示すマークの点灯／消灯を制御することで、ユーザに対して受光環境の改善を促すことができる）。
【００６８】
ステップＳ６１５では、電源制御部３０９からの出力に基づいて充電部３１０の充電電圧が所定値以下であるか否かを判定する。ステップＳ６１５において充電電圧が所定値以下でないと判定された場合には、ステップＳ６１８に進む。一方、ステップＳ６１５において充電電圧が所定値以下であると判定された場合には、ステップＳ６１６に進む。
【００６９】
ステップＳ６１６では、充電部３１０の電圧が過放電防止のために設定された閾値以下であるか否かを判定する。ステップＳ６１６において、充電部３１０の電圧が過放電防止のために設定された閾値以下でないと判定された場合には、ステップＳ６１７に進み、「電圧不足」を表示する（図７の７０２参照）。一方、ステップＳ６１６において、充電部３１０の電圧が過放電防止のために設定された閾値以下であると判定された場合には、ステップＳ６１９に進む。
【００７０】
ステップＳ６１８では、電源ＯＦＦ操作が行われたか否かを判定し、行われていないと判定された場合には、ステップＳ６１２に戻り、上記処理を繰り返す。なお、この間、発電電圧が所定値以下にならなければ、血圧値の決定処理が実行され、発電電圧が所定値以下になれば、血圧値の決定処理は実行されない。
【００７１】
一方、ステップＳ６１８において、電源ＯＦＦ操作が行われたと判定された場合、またはステップＳ６１６において充電部３１０の電圧が過放電防止のために設定された閾値以下であると判断された場合には、ステップＳ６１９に進み、電源ＯＦＦ処理を行う。
【００７２】
８．制御部による測定処理の流れ
次に、制御部３０３における測定処理の流れについて説明する。図８Ａ〜図８Ｃは、制御部３０３における測定処理の流れを示すフローチャートであり、図９及び図１０は測定処理時の表示部３０６の表示内容を示す図である。
【００７３】
電源ボタン３０４が押下されることで測定中状態に移行すると、図８Ａに示す測定処理が開始される。
【００７４】
ステップＳ８０１では、圧力の測定誤差を防止するため、カフ部１１０の残圧の有無を判定する。具体的には、圧力センサ３０１からの出力に基づいて検出された圧力値が所定値（例えば、３０ｍｍＨｇ）以下であるか、または圧力値のマイナスの変化が所定値以下であるか否かを判定する。
【００７５】
ステップＳ８０１において、圧力値が所定値以下でないと判定された場合、または圧力値のマイナスの変化が所定値以下でないと判定された場合には、ステップＳ８０２に進み、脈拍数値・圧力値表示領域２０３に、現在の圧力値を表示するとともに、ユーザに対して、カフ１１４内の残空気を排出させるために排気弁３０７を開くよう、「排気」マークを点灯する（図９のメッセージ表示領域２０４の９０２参照）。
【００７６】
一方、ステップＳ８０１において、圧力値が所定値以下であると判定された場合、または圧力値のマイナスの変化が所定値以下であると判定された場合には、ステップＳ８０３に進み、現在の圧力値のゼロ設定を行う。更に、ステップＳ８０４にて脈拍数値・圧力値表示領域２０３に、校正後の圧力値（ゼロ）を表示した後、図８ＢのステップＳ８１１に進む（図９の脈拍数値・圧力値表示領域２０３参照）。
【００７７】
一方、ステップＳ８１１では、ユーザによるポンピング操作が終了し、圧力値の上昇が停止したか否かを判定する。
【００７８】
ステップＳ８１１において、圧力値の上昇が停止していないと判定された場合には、ユーザが、送気球１４０のポンピング操作を行っていると判断する。
【００７９】
ステップＳ８１１において、圧力値の上昇が停止したと判定された場合には、ユーザによる送気球１４０のポンピング操作が終了したと判断し、ステップＳ８１２に進む。
【００８０】
ステップＳ８１２では、圧力センサ３０１からの出力に基づいて検出された圧力信号を用いて脈波の検出を開始し、検出した脈波をカフ圧と対応付けて記録していく。更にステップＳ８１３では、Ｋ音処理部３０２からの信号に基づいてＫ音信号の抽出を開始し、カフ圧と対応付けて記録していく。なお、圧力値の上昇が停止したことを契機として、脈波検出とＫ音検出を開始する構成としたのは、手動で加圧するため、ポンピング操作が終了したことをもって減圧過程に入ったと判断するのが妥当だからである。
【００８１】
ステップＳ８１４では、カフ１１４が加圧不足か否かを判定する。具体的には、圧力センサ３０１からの圧力値が減少を開始し、減少開始時点の圧力値からの減少幅が２０ｍｍＨｇに到達するまでの間に、Ｋ音処理部３０２からの出力に基づいてＫ音が抽出されたか否かを判定する。減少幅が２０ｍｍＨｇに到達するまでの間に、Ｋ音処理部３０２からの出力に基づいてＫ音が抽出されたと判定した場合には、加圧不足と判定し、ステップＳ８１６に進む。
【００８２】
ステップＳ８１６では、加圧不足であることをユーザに報知すべく、「加圧不足」を示すマークを表示する（図９のメッセージ表示領域２０４の９０１参照）。
【００８３】
ステップＳ８１７では、圧力センサ３０１の圧力値が所定値（例えば、３０ｍｍＨｇ）以下であるか否かを判定する。ステップＳ８１７において、圧力センサ３０１の圧力値が所定値以下であると判定された場合には、測定を中止したと判断し、測定処理を終了する。
【００８４】
一方、ステップＳ８１７において、圧力センサ３０１の圧力値が所定値より大きいと判定された場合には、ステップＳ８１８に進む。ステップＳ８１８では、ユーザによるポンピング操作が終了し、圧力値の上昇が停止したか否かを判定する。
【００８５】
ステップＳ８１８において、圧力値の上昇が停止したと判定された場合には、ユーザによる送気球１４０のポンピング操作が終了したと判断し、「加圧不足」を示す表示（９０１）を消灯したうえで、ステップＳ８１４に戻る。
【００８６】
ステップＳ８１４では、再び、加圧不足か否かを判定する。なお、加圧不足か否かの判定の仕方は、既に説明済みであるため、ここでは、説明を省略する。
【００８７】
ステップＳ８１４において、加圧不足であると判定された場合には、ステップＳ８１６に進み、再び加圧不足であることをユーザに報知した後、ステップＳ８１７へと進む。一方、ステップＳ８１４において、加圧不足でないと判定された場合には、カフ１１４が適正な圧力まで加圧されたうえで減圧が開始されたと判断し、図８ＣのステップＳ８３１に進む。
【００８８】
ステップＳ８３１では、最低血圧を検出できたか否かを判定し、最低血圧を検出できたと判定された場合には、ステップＳ８３２に進む。
【００８９】
ステップＳ８３２では、最高血圧を検出できたか否かを判定し、最高血圧を検出できたと判定された場合には、ステップＳ８３３に進む。ステップＳ８３３では、表示部３０６のメッセージ表示領域２０４に、「排気」を示すマークを表示する（図１０のメッセージ表示領域２０４の９０２参照）。
【００９０】
更に、ステップＳ８３４では、圧力センサ３０１の圧力値が所定値（例えば、２０ｍｍＨｇ）以下になっているか否かを判定する。なお、圧力センサ３０１の圧力値が所定値以下となっていない場合とは、例えば、血圧測定が正常に終了したにも関わらず、ユーザが排気ボタン３０８を開状態にしない場合である。この場合、カフ１１４内には所定量の空気が残ることとなる。このように、カフ１１４内の空気が完全に排気されていない場合、次回の血圧測定の際に、再度、排気ボタン３０８を開状態にするための操作が必要となることから、本実施形態に係る電子血圧計１００では、測定結果を表示する前に、ステップＳ８３７において、排気弁３０７を開くようユーザに促し、カフ１１４内の圧力値が所定値以下になるまで待機する（図１０のメッセージ表示領域２０４の９０２参照）。
【００９１】
ステップＳ８３４において、圧力センサ３０１の圧力値が所定値以下となったと判定された場合には、ステップＳ８３５に進み、検出した脈波に基づいて脈拍数を算出する。更に、ステップＳ８３６では、最高血圧値表示領域２０１及び最低血圧値表示領域２０２に、それぞれ、最高血圧値及び最低血圧値を表示する（図１０の１００１及び１００２参照）。更に、最高血圧値及び最低血圧値測定時の脈拍数値を、脈拍数値・圧力値表示領域２０３に表示する（図１０の１００３参照）。
【００９２】
一方、ステップＳ８３１において、最低血圧値を検出できなかったと判定された場合には、ステップＳ８３７に進み、圧力値が４０ｍｍＨｇ以下となったか否かを判定する。ステップＳ８３７において圧力値が４０ｍｍＨｇ以下になっていないと判定された場合には、ステップＳ８３１に戻る。
【００９３】
一方、ステップＳ８３７において圧力値が４０ｍｍＨｇ以下になったと判定された場合には、ステップＳ８３８に進み、排気弁３０７を開くようユーザに促し、ステップＳ８３９では、カフ１１４内の圧力値が２０ｍｍＨｇ以下になるまで待機する（図１０のメッセージ表示領域２０４の９０２参照）。
【００９４】
ステップＳ８３９において、カフ１１４内の圧力値が２０ｍｍＨｇ以下になったと判定された場合またはステップＳ８３２において最低血圧を検出できなかったと判定された場合には、ステップＳ８４０に進み、測定エラーが生じたことをユーザに報知する（図１０のメッセージ表示領域２０４の９０３参照）。
【００９５】
以上の説明から明らかなように、本実施形態では、送気球１４０を備え、ユーザが手動でカフ１１４への空気の送り込みを行う電子血圧計１００において、カフ部１１０上に短冊状に形成された光発電部を配し、光発電に基づく発電を行う構成とした。これにより、電子血圧計１００に対する外部からの電源の供給が不要となった。
【００９６】
また、制御部が動作するのに必要な電圧を出力可能な個数だけ直列に接続した素子群からなるセルをカフ部の長手方向に複数配置し、蛍光灯の光源の指向性の影響を軽減させる構成とした。
【００９７】
また、本実施形態に係る電子血圧計１００では、光発電部の発電電圧を監視し、発電電圧レベルを示す表示を行うとともに、発電電圧レベルが十分でない場合には、これを報知し、受光環境の改善を促す構成とした。
【００９８】
更に、排気弁の開閉を手動で実行する構成とするとともに、受動型定速排気弁を用いることにより、血圧測定における消費電力の低減を実現した。
【００９９】
この結果、外部からの電源の供給が不要な、機動性に富む電子血圧計を提供することが可能となった。
【０１００】
［第２の実施形態］
上記第１の実施形態では、Ｋ音検出に基づくコロトコフ音法にて血圧測定を行う構成としたが、本発明はこれに限定されず、例えば、オシロメトリック法にて血圧測定を行う構成としてもよい。
【０１０１】
図１１は、オシロメトリック法により血圧測定を行う場合の測定処理の流れを示すフローチャートであり、図８Ｂのフローチャートと対応している。なお、図８Ｂとの相違点は、ステップＳ８１３の後にＫ音の検出開始処理がない点である。
【０１０２】
［第３の実施形態］
上記第１の実施形態では、折り返しリング付きのカフ部１１０に光発電部を配する構成としたが、光発電部を配するカフ部１１０は折り返しリング付きのカフ部に限定されず、例えば、上腕部を挿入する開口部を有し、該開口部に上腕部を挿入するだけで測定可能な全自動式血圧計のカフ部（カフ部の上部が天井を向いており、蛍光灯などの光を受光しやすい構造のカフ部）であってもよい。
【符号の説明】
【０１０３】
１００・・・電子血圧計、１１０・・・カフ部、１１１・・・カフ布、１１２・・・面ファスナー、１１３・・・面ファスナー、１１４・・・カフ、１１５・・・Ｋ音検出部、１１６・・・折り返しリング、１１７・・・光発電部、１２０・・・カフチューブＡｓｓ’ｙ（配管・配線部）、１２１・・・チューブ、１２２・・・配線、１２３・・・多連式のプラグ、１２４・・・受動型定速排気弁、１２５・・・配管コネクタ、１２６・・・配線コネクタ、１２７・・・配管コネクタ、１２８・・・配線コネクタ、１２９・・・配線、１３０・・・本体部、１３１・・・本体側コネクタ、１３２・・・排気ボタン、１３４・・・表示部、１３５・・・電源ボタン、１３６・・・接続部、１４０・・・送気球、１４１・・・逆止弁、１４２・・・尻弁、４０１・・・配管、４０２・・・配管
【図１Ａ】
2012070922.tif 000003
【図１Ｂ】
2012070922.tif 000004
【図１Ｃ】
2012070922.tif 000005
【図２】
2012070922.tif 000006
【図３】
2012070922.tif 000007
【図４】
2012070922.tif 000008
【図５】
2012070922.tif 000009
【図６】
2012070922.tif 000010
【図７】
2012070922.tif 000011
【図８Ａ】
2012070922.tif 000012
【図８Ｂ】
2012070922.tif 000013
【図８Ｃ】
2012070922.tif 000014
【図９】
2012070922.tif 000015
【図１０】
2012070922.tif 000016
【図１１】
2012070922.tif 000017